(57)【特許請求の範囲】
【請求項１】
ＣＲＴのアノード電極に供給する高電圧（以下、高圧と称する）を生成する高圧発生回路と、
前記高圧発生回路の高電圧出力に接続され、該出力を入力としてコイルの一端に入力し他端に容量素子が接続されて構成され、前記他端を出力とするフィルタと、
前記容量素子の２端子のうち前記コイルと接続されていない一方の端子に接続された容量素子変調回路と、
を備え、
前記容量素子変調回路は、前記高圧発生回路の出力変動信号を検出し、該信号を反転した反転信号により前記容量素子の２端子のうち前記コイルと接続されていない一方の端子を変調することを特徴とした高圧供給回路。
【請求項２】
高圧発生回路の二次側に流れる電流を検出する二次側電流検出回路と、
前記二次側電流検出回路で検出した電流を増幅する増幅回路と、
をさらに備え、
前記増幅回路の出力を前記高圧発生回路の出力変動として前記容量素子変調回路に入力し前記容量素子の２端子のうち前記コイルと接続されていない一方の端子の電位を変調することを特徴とする請求項１記載の高圧供給回路。
【請求項３】
前記高圧発生回路の高電圧出力の変動を検出するための高圧変動検出回路と、
前記高圧変動検出回路で検出した検出信号を入力とした増幅回路と、
をさらに備え、
前記増幅回路の出力を前記高圧発生回路の出力変動として前記容量素子変調回路に入力し前記容量素子の２端子のうち前記コイルと接続されていない一方の端子の電位を変調することを特徴とする請求項１記載の高圧供給回路。
【請求項４】
ＣＲＴのカソードに流れる電流を検出するカソード電流検出回路と、
前記カソード電流検出回路で検出した信号を入力とした増幅回路と、
前記増幅回路の出力を入力とした遅延回路と、
をさらに備え、
前記遅延回路の出力を前記高圧発生回路の出力変動として前記容量素子変調回路に入力し前記容量素子の２端子のうち前記コイルと接続されていない一方の端子の電位を変調することを特徴とする請求項１記載の高圧供給回路。
【発明の詳細な説明】
【０００１】
【発明の属する技術分野】
本発明はＣＲＴを用いたディスプレイにおいて、ＣＲＴのアノード電極に高圧を供給する高圧供給回路に関するものである。
【０００２】
【従来の技術】
図７に従来の高圧供給回路の構成を示す。図７において、符号１は高圧発生回路、２はＣＲＴ、３及び４は容量素子、１２は抵抗素子である。以上のように構成された高圧供給回路について、以下その動作について説明する。
図７において、高圧発生回路１で発生された高圧は容量素子３及び４と抵抗素子１２で構成されるフィルタを経由してＣＲＴ２のアノード電極に供給され、ＣＲＴ２を駆動する。このように  容量素子３及び４と抵抗素子１２で構成されるフィルタを経由する事によってリップルを低減した高圧をＣＲＴ２のアノード電極に供給している。
【０００３】
【発明が解決しようとする課題】
しかしながら、上述のような従来の構成では、高圧発生回路１で発生された高圧の電流が抵抗素子１２を経由してＣＲＴへ供給され、前記抵抗素子１２で電圧降下が発生する。また、ディスプレイに接続された信号源の映像信号によってＣＲＴへ供給される電流量は変化するため、前記電圧降下量も変化することになり、高圧の安定度が低下することになる。
高圧安定度が低下した場合、ディスプレイに映出された画像において、直線であるはずの映像が歪んで表示されたり、画面上の輝度が変化しディスプレイ上に輝度むらが見える等、ディスプレイに接続された画像信号源の忠実な再現ができなくなるという課題を有していた。
【０００４】
更に、従来の構成では前述のような課題があり、抵抗素子１２の抵抗値を高圧リップルを低減するのに十分大きな値を選択できなかった。そのため高圧リップルが十分に低減できず、表示画面上に非同期の輝度むらが発生し映像品位の低下という課題を有していた。また、抵抗素子１２で発生する電圧降下による消費電力の増大という課題を有していた。
【０００５】
【課題を解決するための手段】
上記従来の課題を解決するために、本発明の高圧供給回路は、高圧放電を防ぐためにエポキシ樹脂等で十分に封止され、さらに、フィルタ効果を得るのに十分なインダクタンス値をもつコイルと容量素子とで構成されたフィルタを用いることで、高圧リップルを十分に低減した高圧をＣＲＴのアノード電極に供給する事を特徴とする。
【０００６】
本発明によれば、直流抵抗値が非常に小さいコイルを用いたフィルタ回路により、従来抵抗素子による電圧降下が大きく高圧安定度が損なわれるという課題も容易に解決可能となる。
更に、抵抗素子による電圧降下が無くなり高圧安定度が向上することで、高圧リップルを低減するのに十分大きなインダクタンス値を選択することが可能であるため、高圧リップルが残り、表示画面上に非同期の輝度むらが発生し映像品位の低下という課題も容易に解決可能である。また、抵抗素子による電圧降下が無くなることにより、電圧降下による消費電力の増大という課題も容易に解決可能である。
【００１２】
【発明の実施の形態】
第１の発明の高圧供給回路は、ＣＲＴのアノード電極に供給する高電圧を生成する高圧発生回路と、前記高圧発生回路の高電圧出力に接続され、該出力を入力としてコイルの一端に入力し他端に容量素子が接続されて構成され、前記他端を出力とするフィルタと、前記容量素子の２端子のうち前記コイルと接続されていない一方の端子に接続された容量素子変調回路と、を備え、前記容量素子変調回路は、前記高圧発生回路の出力変動信号を検出し、該信号を反転した反転信号により前記容量素子の２端子のうち前記コイルと接続されていない一方の端子を変調することを特徴とし、高圧の安定度を向上させる作用を有する。
【００１４】
第２の発明の高圧供給回路は、第１の発明に記載された高圧供給回路において、高圧発生回路の二次側に流れる電流を検出する二次側電流検出回路と、前記二次側電流検出回路で検出した電流を増幅する増幅回路と、をさらに備え、前記増幅回路の出力を前記高圧発生回路の出力変動として前記容量素子変調回路に入力し前記容量素子の２端子のうち前記コイルと接続されていない一方の端子の電位を変調することを特徴とし、高圧の安定度を向上させる作用を有する。
【００１５】
第３の発明の高圧供給回路は、第１の発明に記載された高圧供給回路において、前記高圧発生回路の高電圧出力の変動を検出するための高圧変動検出回路と、前記高圧変動検出回路で検出した検出信号を入力とした増幅回路と、をさらに備え、前記増幅回路の出力を前記高圧発生回路の出力変動として前記容量素子変調回路に入力し前記容量素子の２端子のうち前記コイルと接続されていない一方の端子の電位を変調することを特徴とし、高圧の安定度を向上させる作用を有する。
【００１６】
第４の発明の高圧供給回路は、第１の発明に記載された高圧供給回路において、ＣＲＴのカソードに流れる電流を検出するカソード電流検出回路と、前記カソード電流検出回路で検出した信号を入力とした増幅回路と、前記増幅回路の出力を入力とした遅延回路と、をさらに備え、前記遅延回路の出力を前記高圧発生回路の出力変動として前記容量素子変調回路に入力し前記容量素子の２端子のうち前記コイルと接続されていない一方の端子の電位を変調することを特徴とし、高圧の安定度を向上させる作用を有する。
以下本発明の一実施の形態について、図面を用いて説明する。
【００１７】
（実施の形態１）
以下、本発明における第１及び第２の発明に記載された実施の形態について、図１を用いて説明する。
図１において、符号１は高圧発生回路、２はＣＲＴ、３及び４は容量素子、５はコイルである。以上のように構成された高圧供給回路について、以下その動作を説明する。
【００１８】
高圧発生回路１で発生された高圧は容量素子３、コイル５及び容量素子４を経由してＣＲＴ２のアノード電極に供給される。ここで高圧リップルを相殺する容量値とインダクタンス値を持つ容量素子３及び容量素子４，コイル５で構成されるフィルタによって、高圧発生回路のスイッチング動作によって発生する高圧のリップルは低減される。さらにコイル５の直流抵抗値は非常に小さいため、高圧発生回路１から供給される電流がコイル５を流れることで発生する電圧降下はほとんど発生しない。以上のような動作により、高圧発生回路１から非常に大きな電流の供給がＣＲＴ２のアノード電極に行われても、高圧安定度が低下することは無い。
【００１９】
また前記コイル５は高圧のリップルが高圧発生回路１でのスイッチング周波数と同一の周波数で発生するため、この周波数のリップルを十分に減衰可能とした遮断周波数を有するフィルタを構成することのできるインダクタンス値を持ち、さらに本コイル５は、高電圧部分で使用するために、コイル部分、電極部分ともに高圧放電を十分抑制可能とするため、エポキシ樹脂等で封止する必要がある。
【００２０】
（実施の形態２）
次に、第３及び第４の発明に記載された実施の形態について、図２及び図３を用いて説明する。尚、前述した実施の形態と同じ構成については同一の符号を用い、説明を省略する。
【００２１】
第１及び第２の発明において容量素子３及び容量素子４は接地されており、さらに高圧リップルを低減するために、容量素子３、コイル５及び容量素子４で構成されるフィルタを用いていた。このような構成の場合、コイル５に高圧発生回路１から電流が流れることによる電圧降下が非常に小さいが発生するために、高圧安定度が低下し、ディスプレイに映出された画像において、直線であるはずの映像がひずんで表示されたり、また画面上の輝度が変化しディスプレイ上に輝度むらが見える等、ディスプレイに接続された画像信号源の忠実な再現ができなくなるという、映像品位の劣化の原因となる。
【００２２】
そこで本実施の形態では容量素子４の負電極側の電位を、高圧安定度が最適となるように変調する容量素子変調回路６を設けることによって第１及び第２の発明の構成に対し、より高圧安定度の高い、高圧をＣＲＴ２のアノード電極に供給可能となる。
【００２３】
最適な変調の様子を図３に示す。図３に示すような高圧の変動に対して、容量素子変調回路６で容量素子４の負電極側の電位を図３に示すような変調信号で、変調することによって、図３に示すような最適な高安定度の高圧をＣＲＴ２のアノード電極に供給することが可能となる。
【００２４】
（実施の形態３）
次に、第５及び第６の発明に記載された実施の形態について、図４を用いて説明する。尚、前述した実施の形態と同じ構成については同一の符号を用い、説明を省略する。
【００２５】
第１及び第２の発明において容量素子３及び容量素子４は接地されており、さらに高圧リップルを低減するために、容量素子３、コイル５及び容量素子４で構成されるフィルタを用いていた。このような構成の場合、コイル５に高圧発生回路１から電流が流れることによる電圧降下が非常に小さいが発生するために、高圧安定度が低下し、ディスプレイに映出された画像において、直線であるはずの映像がひずんで表示されたり、また画面上の輝度が変化しディスプレイ上に輝度むらが見える等、ディスプレイに接続された画像信号源の忠実な再現ができなくなるという、映像品位の劣化の原因となる。
【００２６】
そこで第３及び第４の発明に示すように、容量素子４の負電極側の電位を高圧安定度が最適となるように容量素子変調回路６で変調する方法がある。しかしながら、容量素子４の負電極側の電位を高圧安定度が最適となるように容量素子変調回路６で変調する信号を発生させると回路が複雑となり、回路規模の増大につながるという課題を有していた。
【００２７】
そこで、本実施の形態では、図４に示すように高圧発生回路１の二次側電流検出回路８及び増幅回路７を用いて前記課題を解決する。図４において抵抗素子で構成された二次側電流検出回路８で検出した高圧発生回路１の二次側に流れる電流に比例した電圧信号を、容量素子４の負電極側の電位を高圧安定度が最適となるように容量素子変調回路６で変調するため、最適な振幅に増幅回路７で増幅し、その電圧信号で容量素子４の負電極側の電位を高圧安定度が最適となるように容量素子変調回路６で変調する。ここで高圧発生回路１の二次側の電流は高圧の変動に応じた変化をするために、容量素子４の負電極側の電位を高圧安定度が最適となるように容量素子変調回路６で変調する信号として使用することが可能となる。
【００２８】
図４のように容量素子４の負電極側の電位を高圧安定度が最適となるように容量素子変調回路６で変調する信号に、高圧発生回路１の二次側に流れる電流を用いることで、簡易な回路で第１及び第２の発明の構成に対し高圧安定度の向上を図ることが可能となる。
【００２９】
（実施の形態４）
次に、第７及び第８の発明に記載された実施の形態について、図５を用いて説明する。尚、前述した実施の形態と同じ構成については同一の符号を用い、説明を省略する。
【００３０】
第１及び第２の発明において容量素子３及び容量素子４は接地されており、さらに高圧リップルを低減するために、容量素子３、コイル５及び容量素子４で構成されるフィルタを用いていた。このような構成の場合、コイル５に高圧発生回路１から電流が流れることによる電圧降下が非常に小さいが発生するために、高圧安定度が低下し、ディスプレイに映出された画像において、直線であるはずの映像がひずんで表示されたり、また画面上の輝度が変化しディスプレイ上に輝度むらが見える等、ディスプレイに接続された画像信号源の忠実な再現ができなくなるという、映像品位の劣化の原因となる。
【００３１】
そこで、第５及び第６の発明においては高圧発生回路１の二次側電流を基に、容量素子４の負電極側の電位を容量素子変調回路６で変調する方法を用いていた。しかしながら、高圧発生回路１の制御を、高圧の変動情報を帰還して行っている場合、高圧発生回路１の二次側電流の情報はＣＲＴ２のアノード電極位置の高圧の変動から位相遅れを生じたものとなり、高圧発生回路１の二次側電流情報を元に、容量素子４の負電極側の電位を容量素子変調回路６で変調を行っても最適な高圧安定度を得ることが困難となるだけで無く、さらに位相遅れが増大すれば高圧安定度を損なうという課題を有していた。
【００３２】
そこで本実施の形態においては、図５に示すような高圧変動検出回路９及び増幅回路７を用いて前記課題を解決する。図５において抵抗素子の抵抗分割で構成された高圧変動検出回路９で検出した高圧の変動に比例した電圧信号を、容量素子４の負電極側の電位を高圧安定度が最適となるように容量素子変調回路６で変調するのに、最適な振幅に増幅回路７で増幅し、その増幅された信号で容量素子４の負電極側の電位を高圧安定度が最適となるように容量素子変調回路６で変調する。
【００３３】
図５のように容量素子４の負電極側の電位を高圧安定度が最適となるように容量素子変調回路６で変調する信号に、高圧の変動情報を用いることで、実際の高圧の変動と変調を行う信号との位相関係が同位相となり、第１及び第２の構成に対し、さらに高圧安定度の向上を図ることが可能となる。また、高圧変動検出回路９に用いる抵抗素子は高圧発生回路１の負荷電流に大きな影響を及ぼさないよう非常に大きな抵抗値を持ったものを使用することによって、消費電力の増大を防止することができる。
【００３４】
（実施の形態５）
次に、第９及び第１０の発明に記載された実施の形態について、図６を用いて説明する。尚、前述した実施の形態と同じ構成については同一の符号を用い、説明を省略する。
【００３５】
第１及び第２の発明において容量素子３及び容量素子４は接地されており、さらに高圧リップルを低減するために、容量素子３、コイル５及び容量素子４で構成されるフィルタを用いていた。このような構成の場合、コイル５に高圧発生回路１から電流が流れることによる電圧降下が非常に小さいが発生するために、高圧安定度が低下し、ディスプレイに映出された画像において、直線であるはずの映像がひずんで表示されたり、また画面上の輝度が変化しディスプレイ上に輝度むらが見える等、ディスプレイに接続された画像信号源の忠実な再現ができなくなるという、映像品位の劣化の原因となる。
【００３６】
そこで第７及び第８の発明においては高圧の変動を基に、容量素子４の負電極側の電位を容量素子変調回路６で変調する方法を用いていた。しかしながら、高圧の変動を基に、容量素子４の負電極側の電位を容量素子変調回路６で変調する方法を用いると、増幅回路７の入力と容量素子変調回路６の出力で位相遅延が発生し容量素子４の負電極側の電位の変調を行う信号はＣＲＴ２のアノード位置での高圧の変動から位相遅れを生じたものとなり、高圧の変動を基に、容量素子４の負電極側の電位を容量素子変調回路６で変調を行っても最適な高圧安定度を得ることが困難となり、さらに位相遅れが増大すれば高圧安定度を損なうという課題を有していた。
【００３７】
そこで本実施の形態においては、図６に示すようなＣＲＴのカソード電流検出回路１０、増幅回路７及び遅延回路１１を用いて前記課題を解決する。図６においてＣＲＴのカソード電流検出回路１０で検出したＣＲＴのカソード電流に比例した電圧信号を、容量素子４の負電極側の電位を高圧安定度が最適となるように容量素子変調回路６で変調するため、増幅回路７で増幅し、さらに実際の高圧の変動位相に対し容量素子変調回路６から供給される信号位相を同一とするために、遅延回路１１で位相遅延させ、その信号で容量素子４の負電極側の電位を高圧安定度が最適となるように容量素子変調回路６で変調する。
【００３８】
図６のように容量素子４の負電極側の電位を高圧安定度が最適となるように容量素子変調回路６で変調する信号に、位相制御を行ったＣＲＴのカソードに流れる電流情報を用いることで、実際の高圧の変動と変調を行う信号の位相遅れが無くなり、従来方式に対し、さらに高圧安定度の向上を図ることが可能となる。
【００３９】
【発明の効果】
以上のように、本発明の高圧供給回路によれば、コイルを用いたフィルタ回路を構成することで、従来、抵抗素子を用いたフィルタ回路を構成した高圧供給回路において、前記抵抗素子による電圧降下により高圧安定度が低下し、さらに高圧リップルが完全に低減できない課題を解決し、さらに消費電力の増大を抑えることが容易となる。
【００４０】
本発明の高圧供給回路において高圧発生回路の二次側に流れる電流を基に容量素子の負電極側の電位の変調を行うことにより高安定度の高圧供給を実現可能となる。
【００４１】
また、高圧の変動を基に容量素子の負電極側の電位の変調を行う。これより、さらに高安定度の高圧供給を実現可能となる。
【００４２】
また、ＣＲＴのカソードに流れる電流を基に容量素子の負電極側の電位の変調を行うことにより高安定度の高圧供給を実現可能となる。
【図面の簡単な説明】
【図１】本発明の実施の形態１における高圧供給回路のブロック構成図
【図２】本発明の実施の形態２における高圧供給回路のブロック構成図
【図３】本発明の実施の形態２における容量素子変調回路の動作説明図
【図４】本発明の実施の形態３における高圧供給回路のブロック構成図
【図５】本発明の実施の形態４における高圧供給回路のブロック構成図
【図６】本発明の実施の形態５における高圧供給回路のブロック構成図
【図７】従来の高圧供給回路のブロック図
【符号の説明】
１  高圧発生回路
２  ＣＲＴ
３，４  容量素子
５  コイル
６  容量素子変調回路
７  増幅回路
８  二次側電流検出回路
９  高圧変動検出回路
１０  カソード電流検出回路
１１  遅延回路
１２  抵抗素子
【図１】
0003562257.tif 000002
【図２】
0003562257.tif 000003
【図３】
0003562257.tif 000004
【図４】
0003562257.tif 000005
【図５】
0003562257.tif 000006
【図６】
0003562257.tif 000007
【図７】
0003562257.tif 000008